(57)【特許請求の範囲】
【請求項１】
内部カレンダーゴム、１つのビードワイヤーから他方のビードワイヤーに伸びるカーカスプライ、クラウンプライ、少なくとも１つのビードワイヤーから成るビードで終了している側壁及びトレッドを含むタイヤカバー用の、ゴム組成物であって、前記ゴム組成物が、酸素を固定するための一般式CnH2nO2（式中、ｎは２〜５である）を有するカルボン酸の鉄（ＩＩＩ）塩を含むことを特徴とするゴム組成物。
【請求項２】
前記塩が、鉄（ＩＩＩ）アセテートである、請求項１記載のゴム組成物。
【請求項３】
前記塩が、鉄（ＩＩＩ）ペンタノエートである、請求項１記載のゴム組成物。
【請求項４】
前記ゴム組成物中の前記鉄（ＩＩＩ）塩の量が、鉄当量の０．０１〜０．０３質量部（pbw）の範囲である、請求項１〜３の何れか一項に記載のゴム組成物。
【請求項５】
天然ゴム又は合成ポリイソプレンからなる請求項１〜４のいずれか１項記載のゴム組成物。
【請求項６】
請求項１〜５のいずれか１項記載のゴム組成物の製造方法であって、機械的作業によって、前記鉄（ＩＩＩ）塩を、前記ゴム組成物を構成するエラストマーに配合する工程を含むことを特徴とする方法。
【請求項７】
前記鉄（ＩＩＩ）塩を、前記組成物の補強のために強化充填材を配合すると同時に配合する請求項６記載の方法。
【請求項８】
内部カレンダーゴム、１つのビードワイヤーから他方のビードワイヤーに伸びるカーカスプライ、クラウンプライ、少なくとも１つのビードワイヤーから成るビードで終了している側壁及びトレッドを含むタイヤカバーであって、請求項１〜５のいずれか１項記載の少なくとも１つのゴム組成物を含むタイヤカバー。
【請求項９】
少なくとも１つの前記ゴム組成物が、以下の位置：
前記内部カレンダーゴムの内側に放射状に、前記カレンダーゴムと前記カーカスプライとの間、前記カーカスプライと前記クラウンプライとの間、前記クラウンプライと前記トレッドとの間、前記カーカスプライと前記側壁との間、前記側壁の内側或いは外側及び／又は前記トレッドの内側又は外側、
の少なくとも１つを占める、請求項８記載のタイヤカバー。
【請求項１０】
前記ゴム組成物が、前記内部カレンダーゴムと前記カーカスプライとの間に提供される請求項９記載のタイヤカバー。
【請求項１１】
大型車両の装置に好適な請求項１０記載のタイヤカバー。
【請求項１２】
ゴム製品を酸化から保護する方法であって、前記製品に対する外部酸素を捕捉し、前記ゴム製品中の、酸化現象に対して保護されるべき帯域を保護するために提供されるゴム組成物を提供し、前記ゴム組成物が、一般式CnH2nO2（式中、ｎは２〜５である）を有するカルボン酸の鉄（ＩＩＩ）塩を含むことを特徴とする方法。
【発明の詳細な説明】
【０００１】
【発明の属する技術分野】
本発明は、ゴム製品、その製造方法、前記製品から造られたタイヤ及び前記タイヤのローイング抵抗を減少させる為の方法に関する。
【従来の技術】
タイヤ製造業者の主な関心事の一つは、タイヤの寿命を延ばすことにある。特に、ゴム組成物、金属又は繊維補強及びこれらの混合と補強との間の界面の酸化過程に関する耐久性を改善することが重要である。
これらの酸化現象を減少させる為の従来公知の方法は、タイヤの膨張空気から或いはタイヤの外側の大気中からやって来て、酸化に対して特に敏感なタイヤカバーの帯域に到達する酸素の量を制限するものである。極めて長い間、これは、タイヤカバーの内壁に適用された、酸素に対して不浸透性のブチルゴムの層で行われていた。残念ながら、ブチルゴムは、完全には不浸透性ではなく、カバー本体中への酸素の流れは減少されるけれども、長期間においては、望ましくない酸化現象を引き起す。
【０００２】
ブチルゴムよりも尚一層不浸透性の其の他の材料としては、同じ目的の為には、例えば、米国特許第５，２３６，０３０号明細書、第４，８７４，６７０号明細書、第５，０３６，１１３号明細書、EPA-337279、第５，０４０，５８３号明細書及び第５，１５６，９２１号明細書に開示されているものが提案されている。これらの材料は、然しながら、高価であり、タイヤカバーでのそれらの使用は多くの問題を伴うものである。
酸化の問題を避ける為の別の方法は、酸素の主な出所と酸化現象に対して保護されるべき帯域との間に配置された、緩衝体として作用するゴム混合物の促進熱酸化によって化学的に酸素を捕捉することである。例えば、その様な緩衝組成物は、特に重量車両に適合させる為のタイヤカバーにおいて、タイヤカバー（必要ならばブチルゴムで被覆された）の内側面とカーカスプライとの間に配置されて、膨張空気からの、前記プライとの接触の為にやってくる酸素の量を減少させるものである。
酸素の固定を促進する為に、それらのゴム組成物において、酸化を触媒する金属塩、特にコバルト塩を使用する事は公知である。この塩の効果は、前述の酸化現象によってもたらされる老化の間に発生するヒドロペルオキシドの等方性分解を活性化する事である。この塩は、緩衝組成物中に、エラストマーの１００質量部当り、好ましくは、コバルト当量の０．２〜０．３質量部の量で導入される。これは、コバルト塩を含まない同じ組成物と比較して、緩衝組成物で捕捉できる酸素の量を約５０〜１００％増加させる。
【０００３】
【発明が解決しようとする課題】
残念ながら、この酸化関連挙動の改善は、導入されるコバルト塩のかなりの量の為に、緩衝組成物のヒステリシス損失を実質的に増加させることが経験的に示されている。ヒステリシス損失のこの増加は、一方において組成物の自己加熱を誘い、従って、所期の目的とは反対に寿命を短くし、他方において、ローリング抵抗を増加させるものであり、これは、又、製造業者が、燃費を減少させる為に出来る限りローリング抵抗を制限する努力をしているので、避けられねばならない。
これらの理由の為に、緩衝組成物の使用は、期待されている程には開発されていない。
ヨーロッパ特許ＥＰ−Ａ−５０７２０７は、ラッピング層に含まれる弾性緩衝組成物で酸素を捕捉する方法を開示している。この緩衝組成物は、特に、酸素の固定を活性化する為に用意された遷移金属塩の存在が特徴である。上記で説明した様に、好ましいものとして開示されている金属塩はコバルト塩である。補助として、其の他の金属、例えば、マンガン或いは鉄が認められるが、特定の塩に関するものではない。
【０００４】
【課題を解決するための手段】
予期に反して、本願出願人は、前述の欠点が、これらの緩衝組成物においてコバルト塩に代えて特定の鉄塩を使用することによって大いに減少され得る事を見出した。この緩衝組成物は、このタイプのゴムベース製品を得る為に、前記製品に対して外側の酸素を捕捉する為に、前記製品の少なくとも１つの感応帯を酸化から保護する為に用意された少なくとも１つの緩衝帯を含み、前記の又は夫々の緩衝帯は、前記組成物における酸化を活性化する為に用意された少なくとも一つの鉄（III）塩を含む少なくとも一つのエラストマーをベースとした組成物を含む。
【発明の実施の態様】
更に正確には、本発明の製品は、前記塩が、一般式CnH2nO2（式中、ｎは２〜５であっても良い）を有するカルボン酸の鉄（III）塩である製品である。
特に、前記塩が、鉄（III）ペンタノエート又は鉄（III）アセテートであるものが有利である。
好ましくは、組成物中に存在する本発明の前記鉄（III）塩の量は、０．０１〜０．０３ｐｂｗの鉄当量の範囲であっても良い（ここで、「ｐｂｗ」は、組成物中に存在する全エラストマー１００質量部当りの質量部を意味する）。更に好ましくは、本発明の鉄（III）塩の量は、０．０１〜０．０２ｐｂｗ鉄当量の範囲である。
【０００５】
本発明の組成物は、天然又は合成ゴム、或いは二種以上のその様なゴムのブレンドをベースとする。本発明の組成物で使用するのに適した合成ゴムの例としては、ポリイソプレン、ポリブタジエンの様なジエンゴム、ポリクロロプレン、ポリイソブチレンの様なモノオレフィンゴム、スチレン−ブタジエン又はスチレン−ブタジエン−イソプレンコポリマー、アクリロニトリル−ブタジエン−スチレンコポリマー及びエチレン−プロピレン−ジエンターポリマーが挙げられる。合成ゴムの中ではジエンゴムが好ましく、特に炭素原子を４〜１２個有する共役ジエンモノマーの重合によって得られるホモポリマー或いは、一種以上の共役ジエン間の共重合又は８〜２０個の炭素原子を有する一種以上のビニル芳香族化合物との共重合によって得られるコポリマーが好ましい。
適当な共役ジエンは、特に、１，３−ブタジエン、２−メチル−１，３−ブタジエン、２，３−ジ（C１〜C５アルキル）−１，３−ブタジエン、例えば、２，３−ジメチル−１，３−ブタジエン、２，３−ジエチル−１，３−ブタジエン、２−メチル−３−エチル−１，３−ブタジエン、２−メチル−３−イソプロピル−１，３−ブタジエン、フェニル−１，３−ブタジエン、１，３−ペンタジエン及び２，４−ヘキサジエンである。
適当なビニル芳香族化合物は、例えば、スチレン、ｏ−、ｍ−及びｐ−メチルスチレン、市販の混合物「ビニル−トルエン」、ｐ−ｔ−ブチル−スチレン、メトキシ−スチレン、クロロスチレン、ビニルメシチレン、ジビニルベンゼン、ビニルナフタレンである。
【０００６】
共重合体は、例えば、９９〜２０質量％のジエン単位と１〜８０質量％のビニル芳香族単位を含んでも良い。
ポリマーは、ミクロ構造を有しても良く、このミクロ構造は、使用される重合条件、特に、変性及び／又はランダム化剤の有無及び使用される変性及び／又はランダム化剤の量の関数である。ポリマーは、例えば、ブロック、統計的、順次或いはミクロ順次ポリマーであっても良く、分散又は溶液で調製されても良い。
好ましいジエン合成ゴムはポリブタジエンであり、特に、４〜８０％の１，２−単位の含有量と９０％より多いシス−１，４結合の含有量を有するポリブタジエン、ポリイソプレン、ブタジエン−スチレンコポリマー及び特に、５〜５０質量％、特に２０〜４０質量％のスチレン含有量と、４〜６５％のブタジエン部分の１，２−結合の含有量及び３０〜８０％のトランス−１，４結合の含有量のブタジエン−スチレンコポリマーであり、これらは５〜５０％の全芳香族化合物含有量と、０℃〜８０℃のガラス転移温度（Ｔｇ）を有し、特に、２５〜３０％のスチレン含有量と、５５〜６５％のブタジエン部分のビニル結合含有量、２０〜２５％のトランス−１，４−結合の含有量及び−２０℃〜−３０℃のガラス転移温度を有する。
【０００７】
ブタジエン−スチレン−イソプレンコポリマーの場合において適当なものは、５〜５０質量％、特に１０〜４０質量％のスチレン含有量と、１５〜６０質量％、特に２０〜５０質量％のイソプレン含有量、５〜５０質量％、特に２０〜４０質量％のブタジエン含有量、４〜８５％のブタジエン部分の１，２−単位含有量、６〜８０％のブタジエン部分のトランス−１，４−単位含有量、５〜７０％のイソプレン部分の１，２−＋３，４−単位の含有量及び１０〜５０％のイソプレン部分のトランス−１，４単位の含有量を有する。
合成ゴムは、カップリング剤及び／又は星状化剤又は官能化剤でカップリング及び／又は星状化或いは官能化されても良い。
これらのゴムは、加硫されても良く、及び／又は公知の試薬、例えば、硫黄、過酸化物、ビスマレイミド等で架橋されても良い。
本発明の組成物は、通常の充填剤及び添加剤、例えば、カーボンブラック、シリカ又はその他の強化充填剤、ステアリン酸、強化樹脂、酸化亜鉛、活性化剤、顔料、加硫促進剤又は遅延剤、耐老化剤、例えば、耐酸化剤、耐戻り剤、使用を促進する為の油或いは様々な試薬、粘着促進樹脂、金属接着促進剤、耐オゾンワックス、シリコン結合及び／又は被覆剤等を含む。
【０００８】
本発明の組成物は、広範囲の用途において使用が出来、特に、多くのゴム製品用として、例えば、タイヤカバーにおいて、酸素源、特に膨張空気或いは外側の雰囲気の酸素源とタイヤカバー中において保護されるべき帯域との間における緩衝組成物として使用できる。例えば、これらの組成物は、内部カレンダーゴムの内側で、これとカーカスプライとの間で、カーカスプライとクラウンプライとの間で、クラウンプライとトレッドとの間で、カーカスプライと側壁との間で、或いは側壁の外側に使用されても良い。
本発明のタイヤカバーは、内部カレンダーゴム、一つのビードワイヤーから一方のビードワイヤに伸びているカーカスプライ、クラウンプライ、少なくとも一つのビードワイヤーから成るビードで終了している側壁及びトレッドから成るタイプのタイヤカバーであり、前記組成物を含む前記又は夫々の緩衝帯域が、少なくとも一つの以下の位置を占めることを特徴とするものである：即ち、
前記内部カレンダーゴムの内側に放射状に、前記カレンダーゴムと前記カーカスプライとの間に、前記カーカスプライと前記クラウンプライとの間に、前記クラウンプライと前記トレッドとの間に、前記カーカスプライと前記側壁との間に、前記側壁の内側或いは外側及び／又は前記トレッドの内側又は外側に。
本発明の鉄化合物の使用は、ゴム工業における鉄化合物の従来の使用、例えば、ゴムの混練（解凝固性）或いは再生の為の脱硫化を促進する為に塩を酸化したりする従来公知の使用とは全く異なるものであり、これら従来の用途については、例えば、米国特許第３，３２４，１００号明細書、ＥＰＡ−１５７０７９及びＲＵＡ−２０１４３３９に開示されている。
本発明のゴム製品を得る為の方法は、前記鉄（ＩＩＩ）塩を、緩衝組成物中に含まれるエラストマー中に、機械的作業によって導入して相当する緩衝帯域を得る事から成る。
【０００９】
本発明方法の他の特徴によれば、この方法は、前記鉄（ＩＩＩ）塩を、前記エラストマー中に、前記組成物を補強する為の充填剤と同時に導入することから成る。
タイヤカバーのローリング抵抗を減少させる為の本発明方法は、上記に定義された鉄（ＩＩＩ）塩を、上記タイヤカバーを構成しているエラストマー中に、機械的作業によって導入することから成る。
本発明は、以下に例示の非限定的実施例の助けによって容易に理解されるであろう。
これらの実施例は、本発明の実施例か、或いは、金属誘導体無しの組成物を使用する本発明の実施例ではないもの、或いは、コバルト塩又は最初に特定化した本発明の式を有しない鉄（ＩＩＩ）塩を含む実施例である。
鉄又はコバルトの酸化促進効果は、組成物を熱酸化によるエイジングに掛けることによって評価した。次いで、酸素摂取は、元素分析で測定され、弾性率、ヒステリシス損失及び破断特性の様な機械的性質の変化が決定された。
【００１０】
テストは以下の条件で行われた：
加硫
特に指示しない限り、全てのテストは、２０〜３０分間、１５０℃でのキュアリングによって加硫されたサンプルについて行われた。
熱酸化によるエイジング
８５℃で換気されたストーブを使用した。この温度は、タイヤカバーの操作中に遭遇する温度の代表とみなされる。
ヒステリシス損失
ヒステリシス損失又はヒステリシス（Ｐｈ）は、６０℃で６番目の衝撃を考慮して加えられたエネルギーと比較した、リバウンドのエンルギー損失を決定して測定される。この値は、パーセンテージで表され、供給されたエネルギーを参考とした、供給エネルギーと回復エネルギーとの差である。測定される損失の変形は４０％である。
引張りテスト
１０％歪み（Ｍ１０）と１００％歪み（Ｍ１００）での歪み弾性率は、標準ＩＳＯ３７で決められた。
【００１１】
スコット破断指数
破断応力（Ｃｒ）（ＭＰａ）及び破断時の伸び（Ａｒ）（％）が決められた。全てこれらの引張り測定は、ＩＳＯ３７の標準温度及び湿度条件で行われた。
本発明の好ましい実施態様は、実施例を以って詳細に記述される。
【００１２】
【実施例】
以下の二つの実施例では、次の基本組成物が使用され、これは、密閉式混合機と、次いで外部混合機を使用する通常の方法で調製された。全ての表示の数値は質量部であり、鉄（ＩＩＩ）は、密閉式混合機、例えば、バンバリーに、カーボンブラック、酸化亜鉛、ステアリン酸及び６ＰＰＤと一緒に導入された。
天然ゴム                            １００
カーボンブラックＮ３２６              ４７
硫黄                                    ４．５
ＤＣＢＳ                                ０．８
ＺｎＯ                                  ７．５
ステアリン酸                            ０．９
６ＰＰＤ                                １．５
ＤＣＢＳ：Ｎ，Ｎ−ジシクロヘキシル−２−ベンゾチアゾールスルフェンアミド。
６ＰＰＤ：Ｎ−１，３−ジメチルブチル−Ｎ′−フェニル−パラフェニレンジアミン。
この基本組成物を出発として、二つの次の実施態様の夫々の為に次の組成物を調製した。
【００１３】
実施例１
対照組成物
組成物Ｔ１：金属誘導体無しの基本組成物。
組成物Ｔ２：コバルトナフテネートの形態で０．２５ｐｂｗのコバルト当量の添加を含む基本組成物。
組成物Ｔ３：第二鉄アセチルアセトネートの形態で０．０２ｐｂｗの鉄当量の添加を含む基本組成物。
本発明の好ましい組成物
組成物Ｉ１：鉄（ＩＩＩ）アセテートの形態で０．０２ｐｂｗの添加を含む基本組成物。
１５０℃での前述の加硫に関しては、夫々の対照組成物Ｔ２に対しては２０分、其の他の組成物に対しては３０分継続した。
２−ａ）これらの組成物を使用して、歪み弾性率Ｍ１０とＭ１００及びヒステリシス損失（ヒステリシス）が決定された。結果は以下の表１に示される。
【００１４】
【表１】
表１
0004861554.tif 000002
表１は、酢酸の鉄（ＩＩＩ）塩、即ち本発明の組成物Ｉ１は、対照組成物Ｔ２におけるコバルトナフテネートよりも、基本組成物の特徴の変更が少なく、組成物Ｉ１の相対的ヒステリシス損失は、対照組成物Ｔ２よりも著しく低いことを示す。
２−ｂ）２週間、８５℃での熱酸化後の酸素固定に対する組成物Ｉ１の能力を証明する為の試験を、対照組成物Ｔ１、Ｔ２及びＴ３と比較して行った。
これら熱酸化テストの結果は以下の表２で、固定された酸素の質量％で示される。
【００１５】
【表２】
表２
0004861554.tif 000003
表２は、酢酸の鉄（ＩＩＩ）塩が、組成物Ｉ１をして、コバルトナフテネートを含む対照組成物Ｔ２よりも多量の酸素を固定し得ること、固定された量が、鉄或いはコバルト化合物を含まない対照組成物Ｔ１に比較してかなり多いことを示す。
文献において酸化促進剤として記載されている其の他の金属塩であって、対照組成物Ｔ２に関して金属の等モル量を与える量で導入された金属塩、例えば、マンガン（ＩＩ）又は（ＩＩＩ）の塩、特に、マンガン（ＩＩ）のカーボネート、アセテート又はアセチルアセトネート、モリブデン（ＩＶ）の塩、特に、硫化モリブデン（ＩＶ）及び酸化モリブデン（ＩＶ）、銅（ＩＩ）の塩、特に、銅（ＩＩ）の水酸化物、カーボネート、ステアレート、アセテート又はアセチルアセトネート、クロム（ＩＩＩ）の塩、特に、クロムアセチルアセトネート及び硫酸セリウム（ＩＩＩ）を含む基本組成物は、金属塩を含まない対照組成物Ｔ１と同じ結果となった。
【００１６】
２−ｃ）熱酸化による前述のエイジング処理（８５℃、２週間）を各々の組成物に適用した後で、本発明の組成物Ｉ１の弾性率及び破断特性及びヒステリシスを決定する為の試験を、対照組成物Ｔ１、Ｔ２及びＴ３と比較して行った。
結果は、以下の表３で与えられ、夫々の組成物に対して、熱酸化処理前の同じ組成物と比較した様々なパラメーターの値の変化が示される。
【００１７】
【表３】
表３
0004861554.tif 000004
２−ｂ）の結果と関連して、この表３は、本発明の組成物Ｉ１は、組成物Ｔ２と比較して、明らかに良好な酸素固定能力を示すが、熱酸化処理では、熱酸化処理後も殆ど同じ機械的伸び及び破断特性を示すことを示している。
【００１８】
実施例２
対照組成物：
組成物Ｔ１：金属誘導体無しの基本組成物。
組成物Ｔ２：コバルトナフテネートの形態で０．２５ｐｂｗのコバルト当量の添加で含む基本組成物。
組成物Ｔ３：鉄（ＩＩＩ）フマレートの形態で０．２５ｐｂｗの鉄当量の添加で含む基本組成物。
組成物Ｔ４：鉄（ＩＩＩ）グルコネートの形態で０．２５ｐｂｗの鉄当量の添加で含む基本組成物。
組成物Ｔ５：鉄（ＩＩＩ）シトレートの形態で０．２５ｐｂｗの鉄当量の添加で含む基本組成物。
本発明の好ましい組成物
組成物Ｉ２：鉄（ＩＩＩ）ペンタノエートの形態で０．０２ｐｂｗの添加で含む基本組成物。
１５０℃での前述の加硫に関しては、対照組成物Ｔ２の場合は２０分、其の他の組成物に対しては３０分行われた。
２−ａ）これらの組成物で、歪み弾性率Ｍ１０とＭ１００及びヒステリシス損失（ヒステリシス）が決定された。結果は以下の表４に示される。
【００１９】
【表４】
表４
0004861554.tif 000005
表４は、本発明の組成物Ｉ２におけるペンタン酸の鉄（ＩＩＩ）塩が、対照組成物Ｔ２におけるコバルト化合物よりも、基本組成物の特徴の変更が少なく、組成物Ｉ２のヒステリシス損失は、対照組成物Ｔ２よりも著しく低いことを示す。
２−ｂ）２週間、８５℃での熱酸化後の酸素固定に対する組成物Ｉ２の能力を証明する為の試験を、対照組成物Ｔ１及びＴ２と比較して行った。
これら熱酸化テストの結果は以下の表５で、固定された酸素の質量％で示される。
【００２０】
【表５】
表５
0004861554.tif 000006
表５は、本発明の鉄（ＩＩＩ）塩が、組成物Ｉ２をして、コバルトを含む対照組成物Ｔ２よりも多量の酸素を固定し得ること、その固定が、鉄或いはコバルト化合物を含まない対照組成物Ｔ１に比較してかなり多いことを示す。
文献において酸化促進剤として記載されている其の他の金属塩であって、対照組成物Ｔ２に関して金属の等モル量を与える量で導入された金属塩、例えば、マンガン（ＩＩ）又は（ＩＩＩ）の塩、特に、マンガン（ＩＩ）のカーボネート、アセテート又はアセチルアセトネート、モリブデン（ＩＶ）の塩、特に、硫化モリブデン（ＩＶ）及び酸化モリブデン（ＩＶ）、銅（ＩＩ）の塩、特に、銅（ＩＩ）の水酸化物、カーボネート、ステアレート、アセテート又はアセチルアセトネート、クロム（ＩＩＩ）の塩、特に、クロムアセチルアセトネート及び硫酸セリウム（ＩＩＩ）を含む基本組成物は、金属塩を含まない対照組成物Ｔ１と同じ結果となった。
【００２１】
２−ｃ）熱酸化による前述のエイジング処理（８５℃、２週間）を各々の組成物に適用した後で、本発明の組成物Ｉ２の弾性率及び破断特性及びヒステリシスを決定する為の試験を、対照組成物Ｔ１及びＴ２と比較して行った。
結果は、以下の表６で与えられ、夫々の組成物に対して、熱酸化処理前の同じ組成物と比較した様々なパラメーターの値の変化が示される。
【００２２】
【表６】
表６
0004861554.tif 000007
２−ｂ）の結果と関連して、この表６は、本発明の組成物Ｉ２は、組成物Ｔ１とＴ２と比較して、明らかに良好な酸素固定能力を示すが、熱酸化処理では、熱酸化処理後も殆ど同じ機械的伸び及び破断特性を示すことを示している。
２−ｄ）鉄化合物を含む本発明によらない組成物（Ｔ３〜Ｔ５）において固定された酸素量が決定された。
酸素固定テストとそれに続く、２−ｂ）で述べられた前記熱酸化処理が行われた。
結果は表７で与えられ、そのパーセンテージは表５と同じである（固定酸素の質量％）。
【００２３】
【表７】
表７
0004861554.tif 000008
本発明のものではない鉄化合物を含む対照組成物Ｔ３〜Ｔ５は、コバルト誘導体を含む対照組成物Ｔ２よりも酸素固定能力が低く、金属塩を含まない組成物Ｔ１と略同じ能力である事が明らかである。
上記実施例から、本発明のゴム組成物、即ち、前記組成物Ｉ２の様に、一般式CnH2nO2（式中、ｎは２〜５である）を有するカルボン酸の鉄（ＩＩＩ）塩を含む組成物は、従来公知の組成物と比較して、前記組成物における金属含有量を相当に減少させることが可能であり、同時に、酸素固定特性を相当に改善する事が明らかである。
又、これらの実施例から、本発明のゴム組成物は、従来公知の組成物に比較してヒステリシス損失が極めて少ないことを特徴とする。
従って、タイヤカバーにおける本発明のゴム組成物の使用は、特に、タイヤのローリング抵抗を著しく減少させる一方で、その耐久力を改善することを可能とするものである。
言うまでもなく、本発明は上記記載の実施例に限定されるものではない。